(57)【要約】【課題】文字、図形を表示する表示部と、表示部の周辺に表示内容を目立たせるための副表示部を備えた表示装置において、表示部の表示内容と副表示部の発光体の点滅動作の同期をとることにより、表示内容を一層目立たせることを可能とした表示装置及び表示方法を提供することを目的とする。【解決手段】表示装置のメモリ部２０に、表示部の発光体の位置情報を格納した位置情報部２０ｅを備え、位置情報部の値により、副表示部の発光体の点滅制御を行う。  これにより、表示部の表示内容と副表示部の発光体の点滅の同期を取ることが可能になる。【選択図】図１
2005115042.tif 000002
【特許請求の範囲】
【請求項１】
複数の第１の発光体をマトリクス状に配置し、文字、図形などを表示する表示部と、前記表示部の周囲に複数の第２の発光体を１列に配設した副表示部と、前記表示部と前記副表示部の発光体の点滅制御を行う制御部と、前記制御部のプログラム及び前記表示部と前記副表示部の表示データを格納したメモリ部を備えた表示装置において、前記メモリ部に前記表示部の点灯している発光体の位置情報部を備え、前記制御部は、前記位置情報部のデータを参照し、前記副表示部の第２の発光体の点滅の制御を行うことを特徴とする表示装置。
【請求項２】
前記制御部は、前記表示部の複数の第１の発光体のうち、少なくとも１個の前記第１の発光体を点滅制御させた後、前記位置情報部に点滅制御させた前記第１の発光体の位置情報を格納し、次に前記制御部は、前記位置情報部の前記位置情報を参照し、前記副表示部の複数の前記第２の発光体のうち少なくとも１個を点滅制御させることを特徴とする表示装置の表示方法。
【発明の詳細な説明】
【技術分野】
【０００１】
本発明はＬＥＤなどの発光体をマトリクス状に配置し、文字、図形などを表示する表示部と、表示部の周囲に表示内容を目立たせるための副表示部とを備えた表示装置に関し、特に、表示部と副表示部の表示方法に関するものである。
【背景技術】
【０００２】
従来、表示装置は、商店街などに設置され、商品、サービスなどを表示している。
【０００３】
このような表示装置１は、図４（ａ）に示されるように、文字や画像を表示するために複数の第１の発光体をマトリックス状に配置した表示部２と、表示部２の表示内容を目立たせるために、表示部２の周囲に複数の第２の発光体を１列に配設した副表示部３とを備え、副表示部３は、図４（ｂ）に示されるように、赤３ａ、青３ｂ、緑３ｃを１セットとし、各色の輝度を変えることにより、複数の色を表現できるようになっている。
【０００４】
また、表示部２は、図４（ｃ）に示されるように、１６×１６ドットを１パネルとし、４個のパネルから構成されるものなどがある。
【０００５】
また、表示装置の内部構成は、図５（ａ）に示されるように、表示部２と副表示部３の複数の発光体を点滅制御を行う制御部１０と、図５（ｂ）に示されるように、制御部１０が動作するためのプログラム部１１ａ、動作中の変数等のデータを格納したワーク部１１ｂ、表示部２に表示する文字や図形のデータ及び個々の発光体の点滅時間等のデータを格納した表示部パターン格納部１１ｃ、副表示部３の発光色や点滅時間を格納した副表示部パターン格納部１１ｄからなるメモリ部１１とから構成される。
【０００６】
以上の構成により、制御部１０は、表示部パターン格納部１１ｃに設定されたデータに基づき、表示部２の発光体の点滅制御、副表示部パターン格納部１１ｄに設定されたデータに基づき、副表示部の発光体の点滅制御を行っている（例えば、特許文献１参照）。
【特許文献１】特開平９−２５８６９号公報
【発明の開示】
【発明が解決しようとする課題】
【０００７】
しかしながら、上述した従来の表示装置では、表示部の内容により、副表示部の色を変えたり、動きを制御するのみで、表示部の表示内容の動きに同期するように副表示部を制御することはできないため、表現力の面においては、充分とは言えなかった。
【０００８】
本発明は、前記課題に鑑み、表示部と副表示部のＬＥＤの色および点滅の動きを同期させることにより、従来よりも豊かな表現をすることができる表示装置及びその表示方法を提供することを目的とする。
【課題を解決するための手段】
【０００９】
上記目的を達成する為に、本発明の表示装置は、請求項１記載のように、複数の第１の発光体をマトリクス状に配置し、文字、図形などを表示する表示部と、前記表示部の周囲に複数の第２の発光体を１列に配設した副表示部と、前記表示部と前記副表示部の発光体の点滅制御を行う制御部と、前記制御部のプログラム及び前記表示部と前記副表示部の表示データを格納したメモリ部を備え、前記メモリ部に前記表示部の点滅制御した発光体の位置情報部を備え、前記制御部は、前記位置情報部のデータを参照し、前記副表示部の第２の発光体の点滅制御を行うことを特徴とする。
【００１０】
かかる構成によれば、表示部の発光体の点滅の動きに副表示部の発光体の点滅の動きを合わせ変えることができるため、従来にない豊かな表現をすることが可能になる。
【００１１】
また、本発明の表示装置の表示方法は、請求項２記載のように、制御部は、表示部の複数の第１の発光体のうち、少なくとも１個の前記第１の発光体を点滅制御させた後、位置情報部に点滅制御させた前記第１の発光体の位置情報を格納し、次に前記制御部は、前記位置情報部の前記位置情報を参照し、前記副表示部の複数の前記第２の発光体のうち少なくとも１個を点滅制御させることを特徴とする。
【００１２】
かかる構成によれば、副表示部の色や動きを細かく制御することができるため、表現力を高めることが可能になる。
【発明の効果】
【００１３】
以上詳述しましたように、本発明の表示装置によれば、メモリ部に表示部の点灯している発光体の位置情報部を備えたことにより、表示部に同期した副表示部の発光体の点滅制御を行うことが可能となり、従来の表示装置の表示よりも表示内容を目立たせることができるとともに、豊かな表現をすることが可能となる。
【発明を実施するための最良の形態】
【００１４】
本発明の実施形態について図面を参照しながら説明する。
【００１５】
なお、図を説明するにあたり従来と同一構成のものには、同一符号を付し、説明を省略する。
【００１６】
図１（ａ）は、本発明の表示装置の内部回路の構成図であり、図１（ｂ）は、本発明に係るメモリ部の内部構成図である。
【００１７】
本発明の表示装置のメモリ部２０は、制御部１０が動作するためのプログラム部２０ａと、動作中の変数等のデータを格納したワーク部２０ｂと、表示部２に表示する文字や図形のデータ及び個々の発光体（図示せず）の点滅時間等のデータを格納した表示部パターン格納部２０ｃと、副表示部３の発光色や点滅時間を格納した副表示部パターン格納部２０ｄと、表示部２の点滅制御した発光体（図示せず）の位置情報部２０ｅを備えたことを特徴とする。
【００１８】
次に、本発明の表示装置の表示方法について、図２のフローチャートを基に説明する。
【００１９】
まず、２つの変数ＮとＭを１に設定する（ステップＳ１）。
【００２０】
次に、メモリ部の表示部パターン格納部からＮラインの表示データを読み込む（ステップＳ２）。
【００２１】
次に、読み込んだＮラインのデータを表示部のＮラインに表示させる（ステップＳ３）。
【００２２】
次に、メモリ部の位置情報部にＮを書き込む（ステップＳ４）。
【００２３】
次に、Ｍパネルが表示完了したかどうかを判定する(ステップＳ５)。 
【００２４】
ステップＳ５の判定の結果、まだ完了していないならば、一定時間ウェイトをおいて（ステップＳ６）、Ｎラインのデータを表示部のＮ＋１ラインに表示させる（ステップＳ７）。
【００２５】
次に、Ｎに１を加え（ステップＳ８）、再度、ステップＳ２から行う。
【００２６】
ステップＳ５の判定の結果、完了した場合、次に、副表示部の複数の発光体のうち、Ｍパネル分の発光体の点滅制御を行う（ステップＳ９）。
【００２７】
次に、Ｍに１を加える（ステップＳ１０）。
【００２８】
次に、Ｎが６４か否かを判定する（ステップＳ１１）。
【００２９】
ステップＳ１１の判定の結果、Ｎが６４でないならば、ステップＳ６に進む。
【００３０】
ステップＳ１１の判定の結果、Ｎが６４の場合、１つの表示パターンが終了し、再度、ステップＳ１から行う。
【００３１】
以上が、本発明の表示装置の表示方法の一連の動作である。
【００３２】
図３（ａ）〜（ｅ）は、以上述べた表示方法による表示内容と位置情報部の変数の遷移を示した図であり、図に示されるように、表示部の表示内容と副表示部の発光体の点灯を同期させることができ、従来よりも、なお一層表示内容を目立たせることができる。
【００３３】
なお、本説明では、表示内容の発光体の点灯と副表示部の発光体の点灯の同期について説明したが、単に点灯させるだけでなく、副表示部の発光体の３原色を利用することで、更に豊かな表示をさせることもでき、例えば、表示部の表示内容が、「焼肉」という表示内容で、副表示部の各色の輝度を変えることにより、炎をアニメーション的に表現することもできる。
【産業上の利用可能性】
【００３４】
以上のように、本発明にかかる表示方法は、表示部と副表示部の２種類の表示部を有する表示装置において、副表示部の動きを表示部の動きに連動させることで、表現力を高めることができ、特に、副表示部が、複数の色を表現できる場合に適している。
【図面の簡単な説明】
【００３５】
【図１】本発明の表示装置の内部構成を示す図
【図２】本発明の表示装置の表示方法を示すフローチャート
【図３】本発明の表示装置の表示方法による表示内容を示す図
【図４】従来の表示装置の表示部を示す図
【図５】従来の表示装置の内部構成を示す図
【符号の説明】
【００３６】
１  表示装置
２  表示部
３  副表示部
【図１】
2005115042.tif 000003
【図２】
2005115042.tif 000004
【図３】
2005115042.tif 000005
【図４】
2005115042.tif 000006
【図５】
2005115042.tif 000007